(57)【要約】【課題】  カードとの接続安定性を図りつつ狭ピッチ化に対応することができるカード用コネクタ装置を提供すること。【解決手段】  複数の外部接続部６ａが並設されたカード６を挿抜可能なカード収納部７と、一端部が外部接続部に接触可能な接触部１ａで他端部が端子部１ｂとなっている複数の端子部材１を備えたカード用コネクタ装置において、カード挿抜方向に沿う同一直線上に端子部材１と副端子部材２を配設し、カード６の挿入完了位置で１つの外部接続部６ａに対して端子部材１と副端子部材２の各接触部１ａ，２ａを前後（カード挿抜方向）にずらして接触させるようにした。【選択図】  図４
2006156105.tif 000002
【特許請求の範囲】
【請求項１】
複数の外部接続部が並設されたカードを挿抜可能なカード収納部と、一端部が前記外部接続部に接触可能な接触部で他端部が端子部となっている複数の端子部材とを備えたカード用コネクタ装置であって、
前記各端子部材の少なくとも１つとカード挿抜方向に沿う同一直線上に配置された副端子部材を設け、前記カードの挿入完了位置で、１つの前記外部接続部に対して前記端子部材と前記副端子部材のそれぞれの接触部を前後にずらして接触させるように構成したことを特徴とするカード用コネクタ装置。
【請求項２】
請求項１の記載において、前記副端子部材の固定部から接触部に至る導出方向を前記端子部材と逆向きに設定したことを特徴とするカード用コネクタ装置。
【請求項３】
請求項１の記載において、前記副端子部材を前記端子部材の固定部近傍に上下方向へ位置ずれして固定すると共に、該副端子部材の固定部から接触部に至る導出方向を前記端子部材と同じ向きに設定したことを特徴とするカード用コネクタ装置。
【請求項４】
請求項１〜３のいずれか１項の記載において、前記副端子部材を少なくとも２つ備えており、これら２つの副端子部材の接触部を前記カードの電源用外部接続部とグランド用外部接続部にそれぞれ接触させるようにしたことを特徴とするカード用コネクタ装置。
【発明の詳細な説明】
【技術分野】
【０００１】
本発明は、情報記憶機能を有するカードが接続されるカード用コネクタ装置に係り、特に、カード側の外部接続部に接触可能な端子部材の改良に関するものである。
【背景技術】
【０００２】
携帯電話やデジタルカメラ等の機器に組み込まれて使用されるカード用コネクタ装置の一例として、内部に複数の端子部材を並設したハウジングの前面にカード挿入口を設け、このカード挿入口から挿入したカードをハウジング内の所定の装着位置まで押し込むことにより、カード下面に設けられた複数の外部接続部を対応する端子部材に接続するように構成したものが知られている。
【０００３】
従来より、このようなカード用コネクタ装置において、端子部材の先端側に形成された接触部を横方向に２分割し、カードの挿入完了位置で１つの外部接続部に対して２分割された端子部材を多点接触することにより、カードとの接続安定性を向上させるようにした技術が提案されている（例えば、特許文献１参照）。
【特許文献１】特開２００２−１００４４０号公報（第５頁、図６）
【発明の開示】
【発明が解決しようとする課題】
【０００４】
昨今、この種のカード用コネクタ装置が組み込まれる携帯電話等の機器は小型化される傾向にあり、カード自体も小型化が促進されて各外部接続部間の配列ピッチが狭められていることから、小型で狭ピッチ化に向いたカード用コネクタ装置が要望されているが、前述した従来技術では、端子部材の接触部を横方向に２分割して外部接続部との接続安定性を向上するようにしているため、端子部材の横幅寸法が大きくなって外部接続部の狭ピッチ化に対応できないという問題があった。
【０００５】
本発明は、このような従来技術の実情に鑑みてなされたもので、その目的は、カードとの接続安定性を図りつつ狭ピッチ化に対応することができるカード用コネクタ装置を提供することにある。
【課題を解決するための手段】
【０００６】
上記の目的を達成するために、本発明は、複数の外部接続部が並設されたカードを挿抜可能なカード収納部と、一端部が前記外部接続部に接触可能な接触部で他端部が端子部となっている複数の端子部材とを備えたカード用コネクタ装置において、前記各端子部材の少なくとも１つとカード挿抜方向に沿う同一直線上に配置された副端子部材を設け、前記カードの挿入完了位置で、１つの前記外部接続部に対して前記端子部材と前記副端子部材のそれぞれの接触部を前後にずらして接触させるように構成した。
【０００７】
このように構成されたカード用コネクタ装置によれば、カードの挿入完了位置で１つの外部接続部に接触する端子部材と副端子部材の各接触部が前後（カード挿抜方向）に対向して配置されているので、カードとの接続安定性を図った上で狭ピッチ化に対応することができる。
【０００８】
上記の構成において、１つの前記外部接続部に接触する前記端子部材と前記副端子部材の各接触部を前後に対向して配置するために、例えば、前記副端子部材の固定部から接触部に至る導出方向を前記端子部材と逆向きに設定したり、あるいは、前記副端子部材を前記端子部材の固定部近傍に上下方向へ位置ずれして固定すると共に、該副端子部材の固定部から接触部に至る導出方向を前記端子部材と同じ向きに設定することが可能である。
【０００９】
また、上記の構成において、前記副端子部材の数は特に限定されないが、前記副端子部材を少なくとも２つ備えており、これら２つの副端子部材の接触部を前記カードの電源用外部接続部とグランド用外部接続部にそれぞれ接触させる構成とした場合、カード挿入／排出時に電源ラインとグランドラインを優先的に導通状態とするシーケンスを採用できて好ましい。
【発明の効果】
【００１０】
本発明のカード用コネクタ装置は、複数の端子部材の少なくとも１つとカード挿抜方向に沿う同一直線上に配置された副端子部材を設け、カードの挿入完了位置でカード側の１つの外部接続部に対してこれら端子部材と副端子部材のそれぞれの接触部を前後（カード挿抜方向）にずらして接触させるようにしたので、カードとの接続安定性を図った上で狭ピッチ化に対応することができる。
【発明を実施するための最良の形態】
【００１１】
発明の実施の形態について図面を参照して説明すると、図１は本発明の実施形態例に係るカード用コネクタ装置の斜視図、図２は該カード用コネクタ装置の分解斜視図、図３は該カード用コネクタ装置からカバー部材を取り除いた状態を示す平面図、図４はカード挿入完了状態を示す該カード用コネクタ装置の背面図、図５は図４のＶ−Ｖ線に沿う断面図である。
【００１２】
これらの図に示すように、本実施形態例に係るカード用コネクタ装置は、複数の端子部材１および副端子部材２を支持する合成樹脂製のベース部材３と、このベース部材３の上部開口を覆う板金製のカバー部材４とを備えており、ベース部材３をカバー部材４で蓋閉することによってハウジング５が構成されている。
【００１３】
ベース部材３は金型内に複数の端子部材１と副端子部材２をインサートして成形されたモールド品であり、このベース部材３には後述するカード６を配置させるためのカード収納部７が画成されている。このカード収納部７の前面は開放端となっており、ベース部材３にカバー部材４を取り付けてハウジング５を構成すると、この開放端がカード挿入口８となる。なお、カード収納部７の側方の空間内には公知のカード排出機構９が配設されており、図示省略されているが、このカード排出機構９は、カード６の挿入・排出方向へ移動可能なスライダや、スライダをカード排出方向へ付勢するばね部材や、スライダを所定位置にロックするハートカム機構等によって構成されている。
【００１４】
端子部材１はベース部材３の奥側の底板部に支持されており、カード挿抜方向に対して直交する方向（横幅方向）に所定ピッチ間隔を存して配列されている。端子部材１の手前側の一端部は後述するカード６の外部接続部６ａに接触可能な接触部１ａで、奥側の他端部はプリント基板（図示せず）に半田付けされる端子部１ｂとなっている。一方、副端子部材２はベース部材３の手前側の底板部に支持されており、この副端子部材２の奥側の一端部はカード６の外部接続部６ａに接触可能な接触部２ａ、手前側の他端部はプリント基板に半田付けされる端子部２ｂとなっている。すなわち、副端子部材２の接触部２ａは端子部材１と逆に固定部から奥側へ向かって導出しており、副端子部材２は端子部材１の１つとカード挿抜方向に沿う同一直線上に配置されている。本実施形態例の場合、横幅方向に並設された１０本の端子部材１のうち、中央付近に位置する２本の端子部材１に対応して２本の副端子部材２が配設されており、より具体的に説明すると、図３の左から５番目に位置する端子部材１の接触部１ａと左側の副端子部材２の接触部２ａは前後（カード挿抜方向）に対向して配置され、これら両接触部１ａ，２ａはカード挿入完了位置でカード６の１つの外部接続部６ａに接触するようになっている。同様に、図３の左から６番目に位置する端子部材１の接触部１ａと右側の副端子部材２の接触部２ａも前後に対向して配置されており、これら両接触部１ａ，２ａはカード挿入完了位置でカード６の別の外部接続部６ａの１つに接触するようになっている。
【００１５】
カバー部材４はステンレス等の金属板をプレス加工したもので、その左右両側の折曲片３ａには複数の係止孔３ｂが形成されている。そして、各係止孔３ｂをベース部材３の外壁面に形成した突起３ａにスナップ結合することにより、このカバー部材４はカード収納部７とカード排出機構９を覆うようにベース部材３に一体化されている。
【００１６】
このカード用コネクタ装置に使用されるカード６は平面視矩形状をなし、その下面には複数の外部接続部６ａが設けられている（図２参照）。これら外部接続部６ａは端子部材１に対応して横幅方向に所定ピッチ間隔を存して配列されており、カード挿入完了位置で各外部接続部６ａがそれぞれ対応する端子部材１の接触部１ａに接触するようになっている。その際、図４に示すように、中央付近に位置する１つの外部接続部６ａには端子部材１と副端子部材２の各接触部１ａ，２ａが前後にずれて接触し、その隣の外部接続部６ａにも別の端子部材１と副端子部材２の各接触部１ａ，２ａが前後にずれて接触するようになっている。なお、副端子部材２に接触する２つの外部接続部６ａはそれぞれ電源用外部接続部とグランド用外部接続部であり、したがって、一方の副端子部材２とこれに対向する端子部材１の端子部２ｂ，１ｂは図示せぬプリント基板の電源ラインに半田付けされ、他方の副端子部材２とこれに対向する端子部材１の端子部２ｂ，１ｂはプリント基板のグランドラインに半田付けされるようになっている。
【００１７】
次に、上述したカード用コネクタ装置の動作について説明する。
【００１８】
カード６をカード挿入口８に挿入してカード収納部７内へ押し込んでいくと、まず、中央付近に位置する２つの外部接続部６ａにそれぞれ副端子部材２の接触部２ａが接触するため、この時点でカード６は電源ラインとグランドラインに接続される。図４と図５に示すように、カード挿入完了位置までカード６をさらに押し込むと、全ての外部接続部６ａにそれぞれ対応する端子部材１の接触部１ａが接触すると共に、中央付近に位置する電源用外部接続部６ａとグランド用外部接続部６ａに対して端子部材１と副端子部材２の各接触部１ａ，２ａが前後にずれて接触する。したがって、１つの外部接続部６ａに対して端子部材１と副端子部材２とで多点接触となり、カード６との接続安定性が大幅に向上する。ここで、一組の端子部材１と副端子部材２は前後（カード挿抜方向）に対向して配置されており、端子部材１の横幅寸法を大きくしなくても多点接触を実現できるため、このカード用コネクタ装置は外部接続部６ａの狭ピッチ化に対応したものとなっている。なお、かかるカード６の挿入操作に伴ってカード排出機構９の図示せぬスライダがロック位置で係止されるため、端子部材１および副端子部材２と外部接続部６ａとの接続状態は維持される。
【００１９】
また、挿入完了位置に保持されたカード６を排出させる場合、カード６を装置奥側へ若干量押し込むと、それに伴ってカード排出機構９のスライダがロック解除されるため、このスライダによってカード６を排出方向へ移動することができる。この場合はカード挿入時と逆に、全ての外部接続部６ａが対応する端子部材１の接触部１ａから離反した時点で、中央付近に位置する２つの外部接続部６ａと対応する副端子部材２の接触部２ａとの接触は維持されているため、カード６は最後まで電源ラインとグランドラインに接続された状態となる。
【００２０】
このように本実施形態例に係るカード用コネクタ装置では、カード挿抜方向に沿う同一直線上に端子部材１と副端子部材２を配設し、カード６の挿入完了位置で１つの外部接続部６ａに対して端子部材１と副端子部材２の各接触部１ａ，２ａを前後（カード挿抜方向）にずらして接触させたので、カード６との接続安定性を図った上で狭ピッチ化に対応することができる。また、このような副端子部材２を２本設け、これら各副端子部材２の接触部２ａをカード６の電源用外部接続部６ａとグランド用外部接続部６ａにそれぞれ接触させるようにしたので、カード挿入／排出時に電源ラインとグランドラインを優先的に導通状態とするシーケンスを採用できる。したがって、容易にカードの活栓挿抜を実現できる。
【００２１】
図６は本発明の他の実施形態例に係るカード用コネクタ装置の断面図であり、図１〜図５に対応する部分には同一符号を付してある。
【００２２】
本実施形態例が前述した実施形態例と相違する点は、端子部材１と副端子部材２をベース部材３の奥側の壁部に上下方向へずらして段違いに固定し、これら固定部から端子部材１と副端子部材２の各接触部１ａ，２ａを同じ向きに導出させたことにあり、それ以外の構成は基本的に同じである。すなわち、一組の端子部材１と副端子部材２は上下方向にずれた状態でカード挿抜方向に沿う同一直線上に配置されており、上方側の端子部材１の接触部１ａと下方側の副端子部材２の接触部２ａは同一平面内で前後（カード挿抜方向）に対向している。
【００２３】
このように構成されたカード用コネクタ装置においても、カード６の挿入完了位置で１つの外部接続部６ａに対して端子部材１と副端子部材２の各接触部１ａ，２ａが前後にずれて接触するので、前述した実施形態例と同様の効果を奏することができる。また、端子部材１と副端子部材２のそれぞれの固定部から接触部１ａ，２ａまでの長さが異なり、両者の固有振動数が必然的に相違するため、外部振動によって端子部材１と副端子部材２のうちの一方が外部接続部６ａから離間した場合でも、他方は共振しないで外部接続部６ａとの接触を維持できる、という付加的な効果を奏することができる。
【図面の簡単な説明】
【００２４】
【図１】本発明の実施形態例に係るカード用コネクタ装置の斜視図である。
【図２】該カード用コネクタ装置の分解斜視図である。
【図３】該カード用コネクタ装置からカバー部材を取り除いた状態を示す平面図である。
【図４】カード挿入完了状態を示す該カード用コネクタ装置の背面図である。
【図５】図４のＶ−Ｖ線に沿う断面図である。
【図６】本発明の他の実施形態例に係るカード用コネクタ装置の断面図である。
【符号の説明】
【００２５】
１  端子部材
１ａ  接触部
１ｂ  端子部
２  副端子部材
２ａ  接触部
２ｂ  端子部
３  ベース部材
４  カバー部材
５  ハウジング
６  カード
６ａ  外部接続部
７  カード収納部
８  カード挿入口
【図１】
2006156105.tif 000003
【図２】
2006156105.tif 000004
【図３】
2006156105.tif 000005
【図４】
2006156105.tif 000006
【図５】
2006156105.tif 000007
【図６】
2006156105.tif 000008